(57)【要約】【課題】キャリッジアームが変形することを抑制することができるキャリッジ及び記憶装置を提供すること。【解決手段】キャリッジアームに設けられたかしめ孔にサスペンションのかしめ部が挿入された状態でかしめが行われることにより、該サスペンションがキャリッジアームに取り付けられる場合に、かしめ孔内のサスペンションと締結される位置と反対側の位置に、サスペンションからキャリッジアームに働く力である締結力と近似する力を受けるようにすることで、キャリッジアームを変形させる力を打ち消す。【選択図】図２
2010257511.tif 000002
【特許請求の範囲】
【請求項１】
記憶媒体に対向して信号の読み書きを行うヘッドを支持するサスペンションと、前記サスペンションが固定されるキャリッジアームとを有するキャリッジであって、
前記キャリッジアームは、前記サスペンションが固定される固定部に、前記サスペンションに設けられたかしめ部が挿入されるかしめ孔を有し、
前記固定部は、かしめ孔内のサスペンションと締結される締結位置と反対側の位置に、前記サスペンションから当該の固定部に働く力である締結力と近似する力を受ける構造であることを特徴とするキャリッジ。
【請求項２】
前記固定部は、前記サスペンションが締結される締結位置における孔の孔径よりも、前記締結位置と反対側の位置における孔の孔径が小さいかしめ孔を有することを特徴とする請求項１に記載のキャリッジ。
【請求項３】
前記締結位置におけるかしめ孔の孔径よりも小さい孔径の孔である変形防止孔を含むリングをさらに有し、
前記固定部は、前記締結位置の反対側に前記変形防止孔が位置するように前記リングが配置されることを特徴とする請求項１に記載のキャリッジ。
【請求項４】
前記リングは、前記固定部に固定されるフランジであることを特徴とする請求項３に記載のキャリッジ。
【請求項５】
前記かしめ孔を覆い重ねる形状である上面部と、前記かしめ孔に嵌合する下面部とを含むキャップをさらに有し、
前記固定部は、前記サスペンションが固定された後に、前記締結位置の反対側に前記下面部が位置するように前記キャップが取り付けられることを特徴とする請求項１に記載のキャリッジ。
【請求項６】
記憶媒体に対向して信号の読み書きを行うヘッドを支持するサスペンションと、前記サスペンションが固定されるキャリッジアームとを有する記憶装置であって、
前記キャリッジアームは、前記サスペンションが固定される固定部に、前記サスペンションに設けられたかしめ部が挿入されるかしめ孔を有し、
前記固定部は、かしめ孔内のサスペンションと締結される締結位置と反対側の位置に、前記サスペンションから当該の固定部に働く力である締結力と近似する力を受ける構造であることを特徴とする記憶装置。
【請求項７】
前記固定部は、前記サスペンションが締結される締結位置における孔の孔径よりも、前記締結位置と反対側の位置における孔の孔径が小さいかしめ孔を有することを特徴とする請求項６に記載の記憶装置。
【請求項８】
前記締結位置におけるかしめ孔の孔径よりも小さい孔径の孔である変形防止孔を含むリングをさらに有し、
前記固定部は、前記締結位置の反対側に前記変形防止孔が位置するように前記リングが配置されることを特徴とする請求項６に記載の記憶装置。
【発明の詳細な説明】
【技術分野】
【０００１】
本発明は、キャリッジ及び記憶装置に関する。
【背景技術】
【０００２】
磁気記憶装置などの記憶装置は、キャリッジの先端に取り付けられたヘッドによって記憶媒体からデータを読み出す。かかるキャリッジは、ヘッドが取り付けられたサスペンションなどを有する。なお、ヘッドとサスペンションとの組合せは、一般に、ＨＧＡ（Head  Gimbal  Assembly）と呼ばれる。
【０００３】
図９に、キャリッジの斜視図を示す。図９に示すように、キャリッジ９００は、ＨＧＡ９１０や、キャリッジアーム９２０などを含む。具体的には、図９に示した例のように、キャリッジアーム９２０は、固定部９３０を有し、かかる固定部９３０に複数のＨＧＡ９１０が固定される。
【０００４】
図１０に、図９のＡ矢視によるＢ−Ｂ線の断面図を示す。図１０に示した例では、キャリッジアーム９２０は、ヘッドの本数にあわせて設けられた固定部９３１〜９３３を含む。キャリッジアーム９２０の固定部９３１〜９３３には、それぞれかしめ孔９４１〜９４３が設けられる。また、ＨＧＡ９１１〜９１４は、かしめ部（「ボス」とも呼ばれる）９１１ａ〜９１４ａを有する。かしめ部９１１ａ〜９１４ａは、それぞれ貫通穴９１１ｂ〜９１４ｂが設けられる。
【０００５】
ここで、固定部９３１にＨＧＡ９１１を固定させる手法について説明する。まず、固定部９３１のかしめ孔９４１に、ＨＧＡ９１１のかしめ部９１１ａが挿入される。そして、かしめ孔９４１にかしめボールが押し込まれる。かしめボールがかしめ孔９４１及びかしめ部９１１ａの貫通穴９１１ｂを貫通することにより、かしめ部９１１ａから固定部９３１に対して締結力が働く。これにより、ＨＧＡ９１１は、キャリッジアーム９２０の固定部９３１に固定される。同様のかしめを行うことにより、ＨＧＡ９１２及び９１３は、キャリッジアーム９２０の固定部９３２に固定され、ＨＧＡ９１４は、キャリッジアーム９２０の固定部９３３に固定される。
【０００６】
なお、上記のかしめを行った場合に、サスペンションが変形してしまう場合がある。そこで、例えば、かしめを行う場合に、治具によりキャリッジアームを固定して、サスペンションのベースプレートが変形してしまうことを抑制する技術が知られている。
【先行技術文献】
【特許文献】
【０００７】
【特許文献１】特開平１０−２７４４５号公報
【特許文献２】特開２００７−２１３７４２号公報
【特許文献３】特開平７−２８７８２４号公報
【発明の概要】
【発明が解決しようとする課題】
【０００８】
しかしながら、上述した従来技術には、キャリッジアームが変形してしまうという問題があった。具体的には、かしめを行った場合、サスペンションだけでなく、キャリッジアームも変形する場合があったが、上記の従来技術は、キャリッジアームの変形を抑制することができなかった。
【０００９】
例えば、図１０に示した例において、かしめが行われた場合に、キャリッジアーム９２０の固定部９３２はほとんど変形しないが、固定部９３１及び９３３は、変形する場合がある。図１１及び図１２を用いて、図１０に示した固定部が変形する理由を説明する。図１１は、２個のＨＧＡ９１２及び９１３が固定される固定部９３２の断面図である。また、図１２は、１個のＨＧＡ９１１が固定される固定部９３１の断面図である。
【００１０】
図１１に示すように、キャリッジアーム９２０の固定部９３２には、ＨＧＡ９１２及び９１３が固定される。したがって、図１１に示すように、ＨＧＡ９１２のかしめ部９１２ａからヘッド側の固定部９３２ａへ締結力Ｆ９２ａが働き、かしめ部９１２ａから固定部９３２ｂへ締結力Ｆ９２ｂが働く。また、ＨＧＡ９１３のかしめ部９１３ａから固定部９３２ａへ締結力Ｆ９１ａが働き、かしめ部９１３ａから固定部９３２ｂへ締結力Ｆ９１ｂが働く。
【００１１】
上記の締結力のうち、締結力Ｆ９１ａ及びＦ９２ａは、固定部９３２ａを変形させる力Ｆ９１ｃ及びＦ９２ｃになる。具体的には、力Ｆ９１ｃは、固定部９３２ａを上向き方向へ変形させ、力Ｆ９２ｃは、固定部９３２ａを下向き方向へ変形させる。しかし、締結力Ｆ９１ｃ及びＦ９２ｃは、ほぼ同様の大きさであるため互いに打ち消しあう。このため、締結力Ｆ９１ｃ及びＦ９２ｃが固定部９３２ａを変形させることはほとんどない。また、締結力Ｆ９１ｂ及びＦ９２ｂも、互いに打ち消しあうので、固定部９３２ｂを変形させることはほとんどない。なお、固定部９３２ｂは、形状上、締結力Ｆ９１ｂやＦ９２ｂが存在するか否かに関わらず、ほとんど変形しない。
【００１２】
一方、図１２の上段に示すように、キャリッジアーム９２０の固定部９３１には、ＨＧＡ９１１が固定される。したがって、図１２に示すように、ＨＧＡ９１１のかしめ部９１１ａからヘッド側の固定部９３１ａへ締結力Ｆ９３ａが働き、かしめ部９１１ａから固定部９３１ｂへ締結力Ｆ９３ｂが働く。締結力Ｆ９３ａは、固定部９３１ａの下面に対して働き、固定部９３１ａを変形させる力Ｆ９３ｃになる。すなわち、図１２の下段に示すように、力Ｆ９３ｃは、固定部９３１ａを上向きに変形させる場合がある。なお、固定部９３１ｂは、図１１に示した固定部９３２ｂと同様に変形しにくいので、締結力Ｆ９３ｂによって変形させられることはほとんどない。
【００１３】
また、ここでは図示することを省略したが、キャリッジアーム９２０の固定部９３３も、固定部９３１と同様の理由により、ＨＧＡ９１４が固定されることによって変形する場合がある。
【００１４】
図１３に、ＨＧＡ９１１〜９１４が固定される固定部ごとの変形量を示す。図１３に示すように、ＨＧＡ９１１が固定される固定部９３１の変形量は、ＨＧＡ９１２及び９１３が固定される固定部９３２の変形量よりも大きい。同様に、ＨＧＡ９１４が固定される固定部９３３の変形量は、固定部９３２の変形量よりも大きい。
【００１５】
このように、かしめ孔の上部又は下部のいずれか片側のみにＨＧＡが固定される場合、キャリッジアームの固定部は変形する。キャリッジアームが変形してしまうと、ＰＳＡ（Pitch  Static  Attitude）が変化し、その結果、ヘッドの浮上量が変化してしまうという問題を招く。
【００１６】
開示の技術は、上記に鑑みてなされたものであって、キャリッジアームが変形することを抑制することができるキャリッジ及び記憶装置を提供することを目的とする。
【課題を解決するための手段】
【００１７】
本願の開示するキャリッジは、一つの態様において、記憶媒体に対向して信号の読み書きを行うヘッドを支持するサスペンションと、前記サスペンションが固定されるキャリッジアームとを有するキャリッジであって、前記キャリッジアームは、前記サスペンションが固定される固定部に、前記サスペンションに設けられたかしめ部が挿入されるかしめ孔を有し、前記固定部は、かしめ孔内のサスペンションと締結される締結位置と反対側の位置に、前記サスペンションから当該の固定部に働く力である締結力と近似する力を受ける構造であることを要件とする。
【発明の効果】
【００１８】
本願の開示するキャリッジ及び記憶装置の一つの態様によれば、キャリッジアームが変形することを抑制することができるという効果を奏する。
【図面の簡単な説明】
【００１９】
【図１】図１は、実施例１に係るキャリッジを有する記憶装置の斜視図である。
【図２】図２は、実施例１に係るキャリッジの概要を説明するための図である。
【図３】図３は、実施例１に係るキャリッジの構造例を示す図である。
【図４】図４は、図３に示した固定部にＨＧＡが固定されるまでの過程を示す図である。
【図５】図５は、固定部の厚さと変形量との関係を示す図である。
【図６−１】図６−１は、実施例２に係るキャリッジの構造例を示す図である。
【図６−２】図６−２は、実施例２に係るキャリッジの構造例を示す図である。
【図７】図７は、フランジである変形防止用リングの一例を示す図である。
【図８】図８は、実施例３に係るキャリッジの構造例を示す図である。
【図９】図９は、キャリッジの斜視図である。
【図１０】図１０は、図９のＡ矢視によるＢ−Ｂ線の断面図である。
【図１１】図１１は、２個のＨＧＡが固定される固定部の断面図である。
【図１２】図１２は、１個のＨＧＡが固定される固定部の断面図である。
【図１３】図１３は、ＨＧＡが固定される固定部ごとの変形量を示す図である。
【発明を実施するための形態】
【００２０】
以下に、本願の開示するキャリッジ及び記憶装置の実施例を図面に基づいて詳細に説明する。なお、この実施例により本願に開示するキャリッジ及び記憶装置が限定されるものではない。
【実施例１】
【００２１】
［記憶装置１の構成］
まず、図１を用いて、実施例１に係るキャリッジを有する記憶装置１の構成について説明する。図１は、実施例１に係るキャリッジを有する記憶装置１の斜視図である。
【００２２】
図１に示すように、記憶装置１は、記録媒体１１と、キャリッジ１００とを有する。記録媒体１１は、スピンドルモータ１３により回転駆動される。記録媒体１１の読み書きは、ヘッド支持機構であるキャリッジ１００の一方の先端に設けられたヘッド１５によって行われる。ヘッド１５は、記録媒体１１の回転によって生じる揚力によって、記録媒体１１の表面からわずかに浮いた状態を維持して読み書きを実行する。また、キャリッジ１００のもう一方の先端に設けられたヘッド駆動機構であるボイスコイルモータ１２の駆動により、キャリッジ１００が軸１４を中心とする円弧上を回動し、ヘッド１５が記録媒体１１のトラック横断方向にシーク移動する。
【００２３】
キャリッジ１００は、図１０に示した例と同様に、ＨＧＡや、キャリッジアームなどを含む。ＨＧＡは、ヘッド１５やサスペンションを含む。また、キャリッジアームは、ＨＧＡのサスペンションが固定される固定部を有する。かかるキャリッジアームの固定部には、図１０に示した例と同様に、複数のＨＧＡが固定される。
【００２４】
なお、実施例１に係るキャリッジ１００と、図１０に示した従来のキャリッジ９００とを区別するために、以下では、キャリッジ１００が有する各部に、図１０に示した各部に付した符号と異なる符合を付して説明する。
【００２５】
具体的には、キャリッジ１００は、図１０に示したキャリッジアーム９２０の代わりに、キャリッジアーム１２０を有する。また、キャリッジアーム１２０は、図１０に示した固定部９３１〜９３３の代わりに、固定部１３１〜１３３を有する。かかる固定部１３１〜１３３は、それぞれかしめ孔１４１〜１４３が設けられる。また、キャリッジアーム１２０には、図１０に示したＨＧＡ９１１〜９１４の代わりに、ＨＧＡ１１１〜１１４が固定される。かかるＨＧＡ１１１〜１１４は、それぞれ貫通穴１１１ｂ〜１１４ｂが設けられたかしめ部１１１ａ〜１１４ａを有する。
【００２６】
［実施例１に係るキャリッジ１００の概要］
次に、図２を用いて、実施例１に係るキャリッジ１００の概要について説明する。図２は、実施例１に係るキャリッジ１００の概要を説明するための図である。なお、図２には、ＨＧＡ１１１が固定された固定部１３１の断面図を示す。
【００２７】
図２に示すように、固定部１３１にＨＧＡ１１１が固定された場合、ＨＧＡ１１１のかしめ部１１１ａからヘッド側の固定部１３１ａへ締結力Ｆ１１ａが働き、かしめ部１１１ａから固定部１３１ｂへ締結力Ｆ１１ｂが働く。締結力Ｆ１１ａは、固定部１３１ａの下面に対して働き、固定部１３１ａを上向きに変形させる力Ｆ１１ｃになる。また、締結力Ｆ１１ｂは、固定部１３１ｂの下面に対して働き、固定部１３１ｂを上向きに変形させる可能性がある。
【００２８】
そこで、実施例１に係るキャリッジ１００は、上述した力Ｆ１１ｃを打ち消す構造である固定部１３１を有する。実施例１における固定部１３１の構造によれば、かしめ孔内のＨＧＡ１１１が締結される位置（以下、「締結位置」と言う）と反対側の位置に締結力と近似する力を受けることになる。固定部１３１の構造について具体的に説明すると、固定部１３１のかしめ孔１４１は、ＨＧＡ１１１が締結される孔と反対側の位置における孔が連結した構造になっている。かしめ孔１４１は、ＨＧＡ１１１が締結される位置と反対側の位置における孔が、締結位置における孔の孔径よりも小さい。なお、実施例１における固定部１３１の構造については、図３を用いて後に詳述する。
【００２９】
このような形状のかしめ孔を有する固定部１３１に対してかしめが行われることにより、固定部１３１は、締結力Ｆ１１ａとほぼ等しい力を、ＨＧＡ１１１が締結される位置と反対側の位置に受ける。
【００３０】
図２に示した例を用いて説明すると、固定部１３１ａは、締結力Ｆ１１ａとほぼ等しい力Ｆ１２ａを、締結位置と反対側の位置に受ける。言い換えれば、固定部１３１ａは、かしめ孔１４１の上部に、締結力Ｆ１１ａとほぼ等しい力Ｆ１２ａを受ける。同様に、固定部１３１ｂは、締結力Ｆ１１ｂとほぼ等しい力Ｆ１２ｂを、締結位置と反対側の位置に受ける。言い換えれば、固定部１３１ｂは、かしめ孔１４１の上部に、締結力Ｆ１１ｂとほぼ等しい力Ｆ１２ｂを受ける。
【００３１】
ここで、力Ｆ１２ａは、図２に示すように、固定部１３１ａを下向きに変形させる力Ｆ１２ｃとなる。上述したように、締結力Ｆ１１ａと力Ｆ１２ａとは、ほぼ等しい大きさであるので、かかる力Ｆ１２ｃは、力Ｆ１１ｃとほぼ同様の大きさになる。また、力Ｆ１１ｃは固定部１３１ａを上向きに変形させる力であり、力Ｆ１２ｃは固定部１３１ａを下向きに変形させる力であるので、力Ｆ１１ｃと力Ｆ１２ｃとは互いに打ち消しあう。このため、固定部１３１ａは、変形することがほとんどない。
【００３２】
なお、上述したように、固定部１３１ｂは、締結力Ｆ１１ｂが働いても変形しにくい形状である。したがって、固定部１３１ｂは、力Ｆ１２ｂを受けなくても変形することはほとんどない。
【００３３】
また、上記では、固定部１３１について説明したが、固定部１３３も同様に、締結位置と反対側の位置に締結力と近似する力を受ける構造である。具体的には、固定部１３３のかしめ孔１４３は、ＨＧＡ１１４が締結される締結位置と反対側の位置における孔が、締結位置における孔の孔径よりも小さい。このような形状のかしめ孔を有する固定部１３３に対してかしめが行われることにより、固定部１３３は、締結力とほぼ等しい力を、締結位置と反対側の位置に受ける。
【００３４】
このように、実施例１に係るキャリッジ１００において、キャリッジアーム１２０の固定部は、ＨＧＡのかしめ部から受ける締結力と同一又は近似する力を、ＨＧＡが締結される位置と反対側の位置に受ける。これにより、実施例１に係るキャリッジ１００は、キャリッジアーム１２０が変形することを抑制することができる。
【００３５】
［実施例１に係るキャリッジ１００の構造］
次に、図３を用いて、上述したキャリッジ１００の構造について詳細に説明する。図３は、実施例１に係るキャリッジ１００の構造例を示す図である。なお、図３には、かしめが行われる前のキャリッジ１００の構造例を示す。
【００３６】
図３に示すように、実施例１におけるキャリッジアーム１２０の固定部１３１は、かしめが行われる前の状態において、ザグリ穴であるかしめ孔１４１を有する。具体的には、かしめ孔１４１は、図３に示すように、ＨＧＡ１１１が締結される位置に固定孔１４１ａ、締結位置と反対側の位置に変形防止孔１４１ｂ、それらの中間の中間孔が連通した構造となっている。ここで、変形防止孔１４１ｂの孔径は、固定孔１４１ａの孔径よりも小さい。図３に示した例では、かしめ孔１４１は、孔径ｙである固定孔１４１ａと、孔径ｙよりも小さい孔径ｘである変形防止孔１４１ｂとを有する。
【００３７】
このような形状のかしめ孔１４１にかしめ部１１１ａを挿入して、かしめを行った場合、固定部１３１ａは、自身（固定部１３１ａ）を変形させる力Ｆ１１ａを打ち消す力Ｆ１２ａを受けることになる。
【００３８】
図４を用いて、固定部１３１ａが力Ｆ１２ａを受ける理由について具体的に説明する。図４は、図３に示した固定部１３１にＨＧＡ１１１が固定されるまでの過程を示す図である。図４の「状態Ａ」に示すように、まず、かしめ孔１４１にＨＧＡ１１１のかしめ部１１１ａが挿入された状態で、かしめボール１５０が挿入される。
【００３９】
続いて、図４の「状態Ｂ」に示すように、かしめボール１５０がかしめ孔１４１に挿入されることによって、かしめ孔１４１は押し広げられる。このとき、変形防止孔１４１ｂが押し広げられることにより、固定部１３１ａの上面に力Ｆ１２ａが働き、固定部１３１ｂの上面に力Ｆ１２ｂが働く。かかる力Ｆ１２ａは、ＨＧＡ１１１を変形させる力Ｆ１２ｃになる。そして、力Ｆ１２ｃは、ＨＧＡ１１１を下向き変形させる場合がある。
【００４０】
続いて、図４の「状態Ｃ」に示すように、かしめボール１５０がかしめ部１１１ａに挿入されることによって、かしめ部１１１ａの貫通穴１１１ｂは押し広げられる。これにより、固定部１３１ａの下面に締結力Ｆ１１ａが働き始め、固定部１３１ｂの下面に締結力１１ｂが働き始める。
【００４１】
そして、図４の「状態Ｄ」に示すように、かしめボール１５０がかしめ部１１１ａを貫通した場合、固定部１３１ａの下面に締結力Ｆ１１ａが働き、固定部１３１ｂの下面に締結力１１ｂが働く。かかる締結力Ｆ１１ａ及びＦ１１ｂによって、ＨＧＡ１１１は、キャリッジアーム１２０の固定部１３１に固定される。
【００４２】
また、締結力Ｆ１１ａは、ＨＧＡ１１１を上向きに変形させる力Ｆ１１ｃになる。ここで、「状態Ｂ」において発生した力Ｆ１２ｃが、力Ｆ１１ｃを打ち消す。このため、固定部１３１ａは、ＨＧＡ１１１が固定された場合であっても、力Ｆ１１ｃによって変形させられることがない。
【００４３】
同様に、「状態Ｂ」において発生した力Ｆ１２ｂが、締結力Ｆ１１ｂを打ち消すので、固定部１３１ｂは、ＨＧＡ１１１が固定された場合であっても変形させられることがない。
【００４４】
なお、変形防止孔１４１ｂの孔径ｘは、図３に示した例のように、ＨＧＡ１１１の貫通穴１１１ｂの孔径と近似することが好ましい。これにより、かしめが行われた場合に、固定部１３１は、締結位置と反対側の位置に、締結力と同一又は近似する力を受けることが期待できるからである。
【００４５】
また、上記では、固定部１３１について説明したが、固定部１３３も上述したザグリ穴であるかしめ孔を有する。具体的には、固定部１３３のかしめ孔１４３は、ＨＧＡ１１４が締結される締結位置に固定孔を有し、該固定孔と反対側の位置に、固定孔の孔径よりも小さい孔径の変形防止孔を有する。
【００４６】
［実施例１の効果］
上述してきたように、実施例１に係るキャリッジ１００において、キャリッジアーム１２０に設けられるかしめ孔は、ＨＧＡが締結される締結位置に固定孔を有し、締結位置と反対側の位置に、固定孔の孔径よりも小さい孔径の変形防止孔１４１ｂを有する。このため、実施例１におけるキャリッジアーム１２０は、かしめが行われた場合に、締結力とほぼ等しい力を締結位置と反対側の位置に受ける。これにより、実施例１に係るキャリッジ１００は、キャリッジアーム１２０が変形することを抑制することができる。その結果、実施例１に係るキャリッジ１００は、ＰＳＡが変化することを抑制できるので、ヘッドの浮上量が変化してしまうことを防止することができる。
【００４７】
ところで、図３に示した例において、固定部１３１ａの厚さＺを薄くすれば、締結力Ｆ１１ａが固定部１３１ａの中心に働くので、固定部１３１ａが変形させられることを防止できるとも考えられる。図５を用いて具体的に説明する。図５は、固定部の厚さと変形量との関係を示す図である。図５に示した例において、縦軸は固定部の変形量を示し、横軸は固定部の厚さを示す。また、図５には、ＨＧＡ１１１が固定される固定部１３１ａの変形量と、ＨＧＡ１１４が固定される固定部１３３ａの変形量とを示す。図５に示すように、固定部を薄くした場合、固定部の変形量は小さくなる。また、固定部を厚くした場合も、固定部の変形量は小さくなる。しかし、固定部を薄くすることは、耐久性の低下につながるので現実的ではない。また、固定部を厚くすることは、キャリッジアーム１２０の規模が大きくなるので現実的ではない。
【実施例２】
【００４８】
上記実施例１では、かしめ孔をザグリ穴にする例を示したが、従来と同様の形状であるかしめ孔に、キャリッジアームの変形を抑制するためのリングを配置した状態でかしめを行ってもよい。そこで、実施例２では、変形防止用のリングを用いる例について説明する。
【００４９】
［実施例２に係るキャリッジ２００の構造］
まず、図６−１及び図６−２を用いて、実施例２に係るキャリッジ２００の構造について説明する。図６−１及び図６−２は、実施例２に係るキャリッジ２００の構造例を示す図である。なお、図６−１には、かしめが行われる前の固定部の構造例を示し、図６−２には、かしめが行われた後の固定部の構造例を示す。
【００５０】
図６−１に示すように、実施例２におけるキャリッジアーム２２０は、固定部２３１と、変形防止用リング２５０とを有する。なお、キャリッジアーム２２０は、図９に示したキャリッジアーム９２０に対応する。また、固定部２３１は、図１０に示した固定部９３１に対応し、従来の固定部９３１と同様の形状である。
【００５１】
変形防止用リング２５０は、図６−１に示すように、ザグリ穴を有する。具体的には、変形防止用リング２５０は、少なくとも、固定部２３１における固定孔２４１ａの孔径よりも小さい孔径の変形防止孔２５１ａを有する。図６−１に示した例では、変形防止用リング２５０は、孔径ｘである変形防止孔２５１ａと、孔径ｘよりも大きい孔径ｚの孔が連通して設けられている。
【００５２】
そして、固定部２３１に対してかしめが行われる場合、変形防止用リング２５０は、かしめ孔２４１に配置される。このとき、変形防止用リング２５０は、ＨＧＡ１１１が締結される締結位置の反対側に変形防止孔２５１ａが位置するように配置される。すなわち、図６−１に示すように、変形防止用リング２５０がかしめ孔２４１に配置された場合、締結位置の反対側に変形防止孔２５１ａが位置することになる。
【００５３】
かかる状態で、かしめが行われた場合、図６−２に示すように、固定部２３１ａの下面に締結力Ｆ２１ａが働き、固定部２３１ｂの下面に締結力Ｆ２１ｂが働く。また、変形防止用リング２５０の変形防止孔２５１ａが押し広げられることによって、変形防止用リング２５０から固定部２３１ａの上面に力Ｆ２２ａが働き、変形防止用リング２５０から固定部２３１ｂの上面に力２２ｂが働く。
【００５４】
そして、締結力Ｆ２１ａは力Ｆ２１ｃになり、力Ｆ２２ａは力Ｆ２２ｃになる。かかる力Ｆ２１ｃ及び力Ｆ２２ｃは、互いに打ち消しあう。このように、キャリッジ２００は、固定部２３１を変形させる力を打ち消す力を受けるので、固定部２３１が変形してしまうことを抑制することができる。
【００５５】
また、ここでは、図示することを省略するが、ＨＧＡ１１４が固定される固定部２３３も、上述した変形防止用リング２５０が配置された状態で、かしめが行われる。これにより、キャリッジ２００は、固定部２３３が変形することを抑制することができる。
【００５６】
［実施例２の効果］
上述してきたように、実施例２に係るキャリッジ２００は、かしめが行われる場合に、締結位置の反対側に変形防止孔２５１ａが位置するように変形防止用リング２５０が配置される。このため、実施例２におけるキャリッジアーム２２０は、かしめが行われた場合に、締結力とほぼ等しい力を締結位置と反対側の位置に受ける。これにより、実施例２に係るキャリッジ２００は、キャリッジアーム２２０が変形することを抑制することができる。
【００５７】
なお、実施例２では、変形防止用リング２５０がザグリ穴である場合を例に挙げて説明したが、変形防止用リング２５０は、ザグリ穴でなくてもよい。例えば、変形防止用リング２５０は、孔径ｘの円柱状の変形防止孔だけを有してもよい。
【００５８】
また、図６−１に示した例において、かしめが行われる場合、かしめボールを、変形防止用リング２５０からＨＧＡ１１１の方向へ貫通させることが好ましい。これにより、キャリッジアーム２２０に変形防止用リング２５０を固定しなくても、かしめを行うことができる。
【００５９】
また、上述した変形防止用リングは、キャリッジアーム２２０に固定可能なフランジであってもよい。図７を用いて具体的に説明する。図７は、フランジである変形防止用リング２６０の一例を示す図である。変形防止用リング２６０は、円柱状の変形防止孔の内部（図６−１と同様の位置）に孔径ｘの部分を有する。図７に示すように、変形防止用リング２６０がフランジであるので、キャリッジアーム２２０に変形防止用リング２６０を固定することができる。
【実施例３】
【００６０】
上記実施例１及び２では、変形防止用リングなどを用いる例を示した。しかし、従来と同様のキャリッジアームに対してかしめを行った後に、キャリッジアームの変形を防止するためのキャップをかしめ孔に取り付けてもよい。そこで、実施例３では、変形防止用キャップを用いる例について説明する。
【００６１】
［実施例３に係るキャリッジ３００の構造］
まず、図８を用いて、実施例３に係るキャリッジ３００の構造について説明する。図８は、実施例３に係るキャリッジ３００の構造例を示す図である。なお、図８には、かしめが行われた後の固定部の構造例を示す。
【００６２】
図８に示すように、実施例３におけるキャリッジアーム３２０は、固定部３３１と、変形防止用キャップ３５０とを有する。なお、キャリッジアーム３２０は、図９に示したキャリッジアーム９２０に対応する。また、固定部３３１は、図１０に示した固定部９３１に対応し、従来の固定部９３１と同様の形状である。
【００６３】
変形防止用キャップ３５０は、図８に示すように、かしめ孔３４１を覆い重ねる形状である上面部３５１と、かしめ孔３４１に嵌合する下面部３５２とを含むピンである。なお、下面部３５２と、かしめ後のかしめ孔３４１とは「しまりばめ」の関係にあることが好ましい。すなわち、下面部３５２の直径は、かしめ孔３４１の孔径ｙよりもやや大きいことが好ましい。
【００６４】
図８に示した例において、ＨＧＡ１１１は、従来と同様の手法により、固定部３３１に固定される。すなわち、キャリッジアーム３２０の固定部３３１ａは、ＨＧＡ１１１が固定された場合、上向きに変形する場合がある。
【００６５】
そこで、実施例３に係るキャリッジ３００は、かしめが行われた後に、変形防止用キャップ３５０が取り付けられる。具体的には、変形防止用キャップ３５０は、固定部３３１にＨＧＡ１１１が固定された後に、ＨＧＡ１１１が締結される締結位置の反対側に下面部３５２が位置するように取り付けられる。これにより、固定部３３１ａの上面に、固定部３３１ａを変形させる力を押し戻す力Ｆ３２ａが働く。力Ｆ３２ａは力Ｆ３２ｃになり、力Ｆ２１ｃを打ち消す。
【００６６】
同様に、固定部３３１ｂの上面には、固定部３３１ｂを変形させる力を押し戻す力Ｆ３２ｂが働く。なお、上述したように、固定部３３１ｂはほとんど変形しないため、力Ｆ３２ｂもほとんど働かないと考えられる。
【００６７】
［実施例３の効果］
上述してきたように、実施例３に係るキャリッジ３００は、かしめが行われた後に、キャリッジアーム３２０の変形を防止するための変形防止用キャップ３５０が取り付けられるので、キャリッジアーム３２０を変形させる力を打ち消す力を受ける。これにより、実施例３に係るキャリッジ３００は、キャリッジアーム３２０が変形することを抑制することができる。
【符号の説明】
【００６８】
１                      記憶装置
１１                    記録媒体
１２                    ボイスコイルモータ
１３                    スピンドルモータ
１４                    軸
１５                    ヘッド
１００、２００、３００  キャリッジ
１１１〜１１４          ＨＧＡ
１１１ａ〜１１４ａ      かしめ部
１１１ｂ〜１１４ｂ      貫通穴
１２０、２２０、３２０  キャリッジアーム
１３１〜１３３          固定部
１３１ａ、１３３ａ      固定部
１３１ｂ、１３３ｂ      固定部
１４１〜１４３          かしめ孔
１４１ａ                固定孔
１４１ｂ                変形防止孔
１５０                  かしめボール
２３１、２３３          固定部
２３１ａ、２３１ｂ      固定部
２４１                  かしめ孔
２４１ａ                固定孔
２５０、２６０          変形防止用リング
２５１ａ                変形防止孔
３３１                  固定部
３３１ａ、３３１ｂ      固定部
３４１                  かしめ孔
３５０                  変形防止用キャップ
３５１                  上面部
３５２                  下面部
９００                  キャリッジ
９１０、９１１〜９１４  ＨＧＡ
９１１ａ〜９１４ａ      かしめ部
９１１ｂ〜９１４ｂ      貫通穴
９２０                  キャリッジアーム
９３０                  固定部
９３１〜９３３          固定部
９３１ａ、９３１ｂ      固定部
９３２ａ、９３２ｂ      固定部
９４１〜９４３          かしめ孔
【図１】
2010257511.tif 000003
【図２】
2010257511.tif 000004
【図３】
2010257511.tif 000005
【図４】
2010257511.tif 000006
【図５】
2010257511.tif 000007
【図６−１】
2010257511.tif 000008
【図６−２】
2010257511.tif 000009
【図７】
2010257511.tif 000010
【図８】
2010257511.tif 000011
【図９】
2010257511.tif 000012
【図１０】
2010257511.tif 000013
【図１１】
2010257511.tif 000014
【図１２】
2010257511.tif 000015
【図１３】
2010257511.tif 000016